(57)【要約】  本発明は、移動端末のユーザのための契約の透明性を高める手段に係る。ユーザの識別子と、ユーザが使用している移動端末における現在のＳＩＭカード又は現在使用される論理的電話の識別子との間の関連性が与えられる。この関連性は、移動端末に対する呼確立及び移動端末からの呼確立に使用するために移動端末から通信サーバに送信される。【選択図】図１
2008527796.tif 000002
【特許請求の範囲】
【請求項１】
移動端末のユーザのための契約の透明性を高める方法であって、
移動端末において該移動端末のユーザの識別子を記憶するステップと、
前記移動端末において現在の加入者識別モジュールカード（ＳＩＭカード）の識別子を検出するステップと、
前記ユーザの識別子と前記現在のＳＩＭカードの識別子との間の関連性を指示する通信を通信サーバに送信するステップと、
を含むことを特徴とする方法。
【請求項２】
出呼の好ましいルーティングを指示するルーティングテーブルを前記通信サーバから受けて解釈するステップを更に含む、請求項１に記載の方法。
【請求項３】
前記移動端末から被呼電話番号に対する出呼を確立するための要求を受けるステップと、
前記ルーティングテーブルにより指示された好ましいルーティングに基づいて前記出呼を確立するステップと、
を更に含む、請求項２に記載の方法。
【請求項４】
デフォルトルートを介する前記呼の確立を開始するステップと、
前記デフォルトルートを介する前記呼の確立を中断するステップと、
を更に含む、請求項３に記載の方法。
【請求項５】
前記通信サーバからの前記ルーティングテーブルが、前記通信サーバを介するべき出呼に対する好ましいルーティングを指示する、請求項２から請求項４のいずれかに記載の方法。
【請求項６】
前記検出するステップが、前記現在のＳＩＭカードのアクチベーションに応答して実行される、請求項１から請求項５のいずれかに記載の方法。
【請求項７】
通信に使用するために前記移動端末において２つ以上のＳＩＭカードのうちの１つを選択的にアクチベートするステップであって、前記現在のＳＩＭカードが現在アクチベートされたＳＩＭカードであるステップを更に含む、請求項１から請求項６のいずれかに記載の方法。
【請求項８】
多数の選択可能なネットワークのうちのローミングのためのネットワークを選択するステップであって、この選択が、前記多数のネットワークに対して前記移動端末に記憶されたコスト情報と前記現在のＳＩＭカードとに基づいているステップを更に含む、請求項１から請求項７のいずれかに記載の方法。
【請求項９】
ユーザの契約の透明性を高めるための移動端末であって、
前記移動端末のユーザの識別子を記憶するように構成された記憶手段と、
前記移動端末において現在の加入者識別モジュールカード（ＳＩＭカード）の識別子を検出するように構成された検出手段と、
前記ユーザの識別子と前記現在のＳＩＭカードの識別子との間の関連性を指示する通信を通信サーバに送信するように構成された送出手段と、
を具備することを特徴とする移動端末。
【請求項１０】
出呼の好ましいルーティングを示すルーティングテーブルを前記通信サーバから受けて解釈するための受信手段を更に具備する、請求項９に記載の移動端末。
【請求項１１】
前記移動端末から被呼電話番号に対する出呼を確立するための要求を受けるように構成されたユーザインタフェイス手段と、
前記呼を確立するように構成された呼確立手段と、
前記ルーティングテーブルにより示された前記好ましいルーティングを介して前記出呼を確立するように前記呼確立手段に命令するように構成された処理手段と、
を更に具備する、請求項１０に記載の移動端末。
【請求項１２】
前記呼確立手段が、デフォルトルートを介する呼の確立を開始するように構成され、
前記処理手段が、更に、前記デフォルトルートを介する呼の確立を中断するように構成された、請求項１１に記載の移動端末。
【請求項１３】
前記検出手段が、前記現在のＳＩＭカードのアクチベーションに応答して前記現在のＳＩＭカードの識別子を検出するように構成される、請求項１０から請求項１２のいずれかに記載の移動端末。
【請求項１４】
２つ以上のＳＩＭカードを受けて、通信に使用するために前記２つ以上のＳＩＭカードのうちの１つを選択的にアクチベートするように構成され、
前記現在のＳＩＭカードが、現在アクチベートされたＳＩＭカードである、請求項９から請求項１３のいずれかに記載の移動端末。
【請求項１５】
多数の選択可能なネットワークのうちのローミングのためのネットワークを選択するように構成され、この選択が、前記多数のネットワークに対して前記移動端末に記憶されたコスト情報と前記現在のＳＩＭカードとに基づくものである、請求項９から請求項１４のいずれかに記載の移動端末。
【請求項１６】
移動端末のユーザの契約の透明性を高めるための通信サーバにおける方法であって、
ユーザのデフォルト電話番号を記憶するステップと、
前記ユーザにより使用される移動端末から通信を受けて解釈するステップであって、該通信が前記ユーザの識別子と現在の加入者識別モジュールカード（ＳＩＭカード）との間の関連性を指示するものである、ステップと、
前記現在のＳＩＭカードに関連した電話番号を前記ユーザの現在の電話番号として記憶するステップと、
を含むことを特徴とする方法。
【請求項１７】
前記現在のＳＩＭカードを用いて前記移動端末から出呼を確立するために好ましいルーティングを示すルーティングテーブルを前記現在のＳＩＭカードに基づいて生成するステップと、
前記ルーティングテーブルを前記移動端末に送信するステップと、
を更に含む、請求項１６に記載の方法。
【請求項１８】
前記ルーティングテーブルが、前記ユーザの現在の電話番号が該ユーザのデフォルト電話番号と異なるときに前記通信サーバを介して出呼を確立すべきであることを示す、請求項１６又は請求項１７に記載の方法。
【請求項１９】
前記ユーザの現在の電話番号から被呼電話番号に対する出呼確立要求を受けるステップと、
前記出呼を確立するときに前記ユーザの現在の電話番号に代えて前記デフォルト電話番号を前記被呼電話番号に与えるステップと、
を更に含む、請求項１６から請求項１８のいずれかに記載の方法。
【請求項２０】
前記被呼電話番号への出呼を確立するための最低コストルーティングを決定するステップと、
前記最低コストルーティングを介して前記被呼電話番号に出呼を確立するステップと、
を更に含む、請求項１９に記載の方法。
【請求項２１】
発呼電話番号から前記ユーザのデフォルト電話番号に対する入呼確立要求を受けるステップと、
前記デフォルト電話番号に代えて前記ユーザの現在の電話番号に対して前記入呼を接続すべきであることを決定するステップと、
前記ユーザの現在の電話番号に対する入呼を確立するステップと、
を更に含む、請求項１６から請求項２０のいずれかに記載の方法。
【請求項２２】
前記ユーザの現在電話番号に対する入呼を確立するための最低コストルーティングを決定するステップであって、その最低コストルーティングを介して現在の電話番号に対する入呼を確立するステップを更に含む、請求項２０に記載の方法。
【請求項２３】
前記通信サーバを介して確立される呼に関する統計値を測定及び記憶するステップを更に含む、請求項１６から請求項２２のいずれかに記載の方法。
【請求項２４】
加入者の契約の透明性を高めるための通信サーバであって、
ユーザにより使用される移動端末から通信を受けて解釈するように構成された受信手段であって、該通信が前記ユーザの識別子と現在の加入者識別モジュールカード（ＳＩＭカード）の識別子との関連性を指示するものである、受信手段と、
前記ユーザのデフォルト電話番号を記憶し、現在のＳＩＭカードに関連した電話番号を前記ユーザの現在の電話番号として記憶するように構成された記憶手段と、
を具備することを特徴とする通信サーバ。
【請求項２５】
前記現在のＳＩＭカードを用いて前記移動端末からの出呼を確立するための好ましいルー手続補正書印具を示すルーティングテーブルを、前記現在のＳＩＭカードに基づいて生成するように構成された処理手段と、
前記ルーティングテーブルを前記移動端末に送信するように構成された送出手段と、
を具備する、請求項２４に記載の通信サーバ。
【請求項２６】
前記処理手段が、前記ユーザの現在の電話番号が前記ユーザのデフォルト電話番号と異なるときに、出呼を前記通信サーバを介してルーティングすべきであることを指示するルーティングテーブルを生成するように構成される、請求項２５に記載の通信サーバ。
【請求項２７】
前記ユーザの現在の電話番号から被呼電話番号に対する出呼確立要求を受け、該出呼を確立するときに前記ユーザの現在の電話番号に代えて前記デフォルト電話番号を被呼電話番号に与えるように構成された呼確立手段を更に具備する、請求項２４から請求項２６のいずれかに記載の通信サーバ。
【請求項２８】
前記処理手段が、更に、前記被呼電話番号に対する出呼を確立するための最低コストルーティングを決定し、該最低コストルーティングを介して前記被呼電話番号に対する出呼を確立するように前記確立手段に命令するよう構成される、請求項２７に記載の通信サーバ。
【請求項２９】
発呼電話番号から前記ユーザのデフォルト電話番号に対する入呼確立要求を受け、前記デフォルト電話番号ではなく前記ユーザの現在の電話番号に対する入呼を確立すべきであることを決定し、前記ユーザの現在の電話番号に対する入呼を確立するように構成された呼確立手段を更に具備する、請求項２４から請求項２６のいずれかに記載の通信サーバ。
【請求項３０】
前記処理手段が、更に、前記ユーザの現在の電話番号に対する入呼を確立するための最低コストルーティングを決定し、該最低コストルーティングを介して前記現在の電話番号に対する入呼を確立するように前記確立手段に命令するよう構成される、請求項２９に記載の通信サーバ。
【請求項３１】
前記通信サーバを介して確立された呼に関する統計値を測定及び記憶する手段を更に具備する、請求項２４から請求項３０のいずれかに記載の通信サーバ。
【請求項３２】
請求項１から請求項８のいずれかに記載の方法におけるステップを遂行するためのコンピュータにより実行可能な命令を備えたコンピュータプログラム製品。
【請求項３３】
請求項１６から請求項２３のいずれかに記載の方法におけるステップを遂行するためのコンピュータにより実行可能な命令を備えたコンピュータプログラム製品。
【請求項３４】
移動端末のユーザのための契約の透明性を高める方法であって、
移動端末において該移動端末のユーザの識別子を記憶するステップと、
前記移動端末において現在使用される論理的電話の識別子を検出するステップと、
前記ユーザの識別子と前記現在使用される論理的電話の識別子との間の関連性を指示する通信を通信サーバに送信するステップと、
を含むことを特徴とする方法。
【請求項３５】
出呼の好ましいルーティングを示すルーティングテーブルを前記通信サーバから受けて解釈するステップを更に含む、請求項３４に記載の方法。
【請求項３６】
前記移動端末から被呼電話番号に対する出呼を確立するための要求を受け取るステップと、
前記ルーティングテーブルにより示された好ましいルーティングに基づいて前記出呼を確立するステップと、
を更に含む、請求項３５に記載の方法。
【請求項３７】
デフォルトルートを介する呼の確立を開始するステップと、
該デフォルトルートを介する呼の確立を中断するステップと、
を更に含む、請求項３６に記載の方法。
【請求項３８】
前記通信サーバからの前記ルーティングテーブルが前記通信サーバを介するべき出呼びの好ましいルーティングを示す、請求項３５から請求項３７のいずれかに記載の方法。
【請求項３９】
前記検出するステップが前記現在使用される論理的電話のアクチベーションに応答して実行される、請求項３４から請求項３８のいずれかに記載の方法。
【請求項４０】
通信に使用するために前記移動端末において２つ以上の論理的電話の１つを選択的にアクチベートするステップを更に含む、請求項３４から請求項３９のいずれかに記載の方法。
【請求項４１】
多数の選択可能なネットワークのうちのローミングのためのネットワークを選択するステップであって、この選択が、前記多数のネットワークに対して前記移動端末に記憶されたコスト情報と前記現在使用される論理的電話とに基づくものである、ステップを更に含む、請求項３４から請求項４０のいずれかに記載の方法。
【請求項４２】
ユーザの契約の透明性を高めるための移動端末であって、
前記移動端末のユーザの識別子を記憶するように構成された記憶手段と、
前記移動端末において現在使用される論理的電話の識別子を検出するように構成された検出手段と、
前記ユーザの識別子と前記現在使用される論理的電話の識別子との間の関連性を指示する通信を通信サーバに送信するように構成された送出手段と、
を具備することを特徴とする移動端末。
【請求項４３】
出呼びの好ましいルーティングを示すルーティングテーブルを前記通信サーバから受けて解釈するための受信手段を更に具備する、請求項４２に記載の移動端末。
【請求項４４】
前記移動端末から被呼電話番号に対する出呼を確立するための要求を受け取るように構成されたユーザインタフェイス手段と、
前記呼を確立するように構成された呼確立手段と、
前記ルーティングテーブルにより示された好ましいルーティングを介して前記出呼を確立するように前記呼確立手段に命令するように構成された処理手段と、
を更に具備する、請求項４３に記載の移動端末。
【請求項４５】
前記呼確立手段が、デフォルトルートを介する呼の確立を開始するように構成され、
前記処理手段が、更に、前記デフォルトルートを介する呼の確立を中断するように構成された、請求項４４に記載の移動端末。
【請求項４６】
前記検出手段が、前記現在使用される論理的電話のアクチベーションに応答して前記現在使用される論理的電話の識別子を検出するように構成される、請求項４３から請求項４５のいずれかに記載の移動端末。
【請求項４７】
２つ以上の論理的電話を受け取り、通信に使用するために該２つ以上の論理的電話のうちの１つを選択的にアクチベートするように構成された、請求項４２から請求項４６のいずれかに記載の移動端末。
【請求項４８】
多数の選択可能なネットワークのうちのローミングのためのネットワークを選択するように構成され、この選択が、前記多数のネットワークに対して前記移動端末に記憶されたコスト情報と前記現在使用される論理的電話とに基づくものである、請求項４２から請求項４７のいずれかに記載の移動端末。
【請求項４９】
移動端末のユーザの契約の透明性を高めるための通信サーバにおける方法であって、
ユーザのデフォルト電話番号を記憶するステップと、
前記ユーザにより使用される移動端末から通信を受けて解釈するステップであって、該通信が前記ユーザの識別子と前記移動端末における現在使用される論理的電話の識別子との間の関連性を指示する、ステップと、
前記現在使用される論理的電話に関連した電話番号を前記ユーザの現在電話番号として記憶するステップと、
を含むことを特徴とする方法。
【請求項５０】
前記現在使用される論理的電話を用いて前記移動端末から出呼を確立するための好ましいルーティングを示すルーティングテーブルを前記現在使用される論理的電話に基づいて生成するステップと、
前記ルーティングテーブルを前記移動端末に送信するステップと、
を更に含む、請求項４９に記載の方法。
【請求項５１】
前記ルーティングテーブルが、前記ユーザの現在の電話番号が該ユーザのデフォルト電話番号と異なるときに前記通信サーバを介して出呼を確立すべきであることを指示する、請求項４９又は請求項５０に記載の方法。
【請求項５２】
前記ユーザの現在の電話番号から被呼電話番号に対する出呼確立要求を受けるステップと、
前記出呼びを確立するときに前記ユーザの現在の電話番号に代えて前記デフォルト電話番号を被呼電話番号に与えるステップと、
を更に含む、請求項４９から請求項５１のいずれかに記載の方法。
【請求項５３】
前記被呼電話番号への出呼を確立するための最低コストルーティングを決定するステップと、
該最低コストルーティングを介して前記被呼電話番号に対する出呼を確立するステップと、
を更に含む、請求項５２に記載の方法。
【請求項５４】
発呼電話番号から前記ユーザのデフォルト電話番号に対する入呼確立要求を受けるステップと、
前記デフォルト電話番号に代えて前記ユーザの現在の電話番号に対して入呼を接続すべきであることを決定するステップと、
前記ユーザの現在の電話番号に対する入呼を確立するステップと、
を更に含む、請求項４９から請求項５３に記載の方法。
【請求項５５】
前記ユーザの現在の電話番号に対する入呼を確立するための最低コストルーティングを決定するステップであって、該最低コストルーティングを介して現在の電話番号に対する入呼びを確立するステップを更に含む、請求項５３に記載の方法。
【請求項５６】
前記通信サーバを介して確立される呼に関する統計値を測定及び記憶するステップを更に含む、請求項４９から請求項５５のいずれかに記載の方法。
【請求項５７】
加入者の契約の透明性を高めるための通信サーバであって、
ユーザにより使用される移動端末から通信を受けて解釈するように構成された受信手段であって、該通信が前記ユーザの識別子と移動端末において現在使用される論理的電話の識別子との間の関連性を指示するものである、受信手段と、
前記ユーザのデフォルト電話番号を記憶し、前記現在使用される論理的電話に関連した電話番号を前記ユーザの現在電話番号として記憶するように構成された記憶手段と、
を具備することを特徴とする通信サーバ。
【請求項５８】
前記現在使用される論理的電話を用いて前記移動端末からの出呼を確立するための好ましいルーティングを示すルーティングテーブルを前記現在使用される論理的電話に基づいて生成するように構成された処理手段と、
前記ルーティングテーブルを前記移動端末に送信するように構成された送出手段と、
を具備する、請求項５７に記載の通信サーバ。
【請求項５９】
前記処理手段が、前記ユーザの現在の電話番号が該ユーザのデフォルト電話番号と異なるときに、出呼びを、前記通信サーバを介してルーティングすべきであることを示すルーティングテーブルを生成するように構成される、請求項５８に記載の通信サーバ。
【請求項６０】
前記ユーザの現在の電話番号から被呼電話番号に対する出呼確立要求を受け取り、該出呼びを確立するときに前記ユーザの現在の電話番号に代えて前記デフォルト電話番号を被呼電話番号に与えるように構成された呼確立手段を更に具備する、請求項５７から請求項５９のいずれかに記載の通信サーバ。
【請求項６１】
前記処理手段が、更に、前記被呼電話番号に対する出呼を確立するための最低コストルーティングを決定し、該最低コストルーティングを介して前記被呼電話番号に対する出呼を確立するように前記確立手段に命令するよう構成される、請求項６０に記載の通信サーバ。
【請求項６２】
発呼電話番号から前記ユーザのデフォルト電話番号に対する入呼確立要求を受け、前記デフォルト電話番号に代えて前記ユーザの現在の電話番号に対する入呼を確立すべきであることを決定し、前記ユーザの現在の電話番号に対する入呼を確立するように構成された呼確立手段を更に具備する、請求項５７から請求項５９のいずれかに記載の通信サーバ。
【請求項６３】
前記処理手段が、更に、前記ユーザの現在の電話番号に対する入呼を確立するための最低コストルーティングを決定し、該最低コストルーティングを介して前記現在の電話番号に対する入呼を確立するように前記確立手段に命令するよう構成される、請求項６２に記載の通信サーバ。
【請求項６４】
前記通信サーバを介して確立された呼に関する統計値を測定及び記憶する手段を更に具備する、請求項５７から請求項６３のいずれかに記載の通信サーバ。
【請求項６５】
請求項３４から請求項４１のいずれかに記載の方法におけるステップを遂行するためのコンピュータにより実行可能な命令を備えたコンピュータプログラム製品。
【請求項６６】
請求項４９から請求項５６のいずれかに記載の方法におけるステップを遂行するためのコンピュータにより実行可能な命令を備えたコンピュータプログラム製品。
【発明の詳細な説明】
【技術分野】
【０００１】
本発明は、一般に、通信ネットワークにおける呼確立の分野に係り、より詳細には、加入者に対する契約の透明性を高めるための方法及び装置に係る。
【背景技術】
【０００２】
通信ネットワークにおいて接続を設定するときには、一般的にデフォルトルートがあり、それに沿って接続が設定される。例えば、移動端末がローミングしている移動ネットワークにアタッチされた移動端末から呼を発するときには、移動端末がローミングしているネットワークを経て呼が設定される。
【０００３】
デフォルトルートは、例えば、加入者の観点からコスト効率に関して、最適なルートでないことがある。
【０００４】
従来、これは、例えば、移動端末を低価格の別のローミングネットワークへアタッチする可能性をもたせることにより対処されている。しかしながら、これは、加入者が異なるローミングオペレータから呼を発するためのコストに気付くことを必要とし、これは、厄介で且つ実際的でない。
【０００５】
したがって、従来技術では、移動端末にルート情報を与え、移動端末の位置と、移動端末の位置に依存するルート情報とに基づいて、端末と別の端末との間に接続を確立するような位置に基づくルーティング（routing）が示唆されている。
【０００６】
しかしながら、位置に基づくルーティングは、一般に、それを実施すべき通信装置において呼制御ファンクションを変更する必要があるので、依然、問題が残されている。
【０００７】
したがって、通信装置において呼制御ファンクションを変更する必要なく通信装置において実施できる位置に基づくルーティングが要望される。
【０００８】
更に、多数のローカル加入者識別モジュール（ＳＩＭ）カードの利用も示唆され、即ち現在ユーザが存在するネットワークに属するローカル移動契約の利用を許すことも示唆されている。ローカルＳＩＭカードを使用する利点は、余計な料金（ローミング料金）が呼設定コストに追加されず、且つユーザのホームネットワークＳＩＭカードが使用される場合のように、呼を受信する余計なコストがかからないことである。通常、国内通話を発するレートも、ローカルＳＩＭカードが使用される場合には、著しく有益である。或いは又、二重モード電話、即ち各々異なるネットワークにアタッチできる２つの異なる電話を論理的に含む単一の装置を、２つのＳＩＭカードに代わって使用して、高い発呼コストを回避することができる。例えば、二重モード移動端末は、ＧＳＭを伴う移動端末でよく、ワイヤレスＬＡＮ能力を使用してもよい。
【発明の開示】
【発明が解決しようとする課題】
【０００９】
ローカルＳＩＭカード又は二重モード電話を使用する際の問題は、各ＳＩＭカード又は二重モード電話の論理的電話には、ＳＩＭカードが使用されるか又は論理的電話がアクティブである電話に到達するために使用されるべき電話番号が関連付けられることである。これは、ユーザが移動電話においてＳＩＭカードをスイッチするか又は論理的電話をアクチベートした場合に、ユーザと通信している全ての人がその新たな番号に気付くようにする必要があることを意味する。通常の電話番号に向けられた呼を、ローカルＳＩＭの電話番号に単に転換するだけでは、望ましいコスト節約にならない。別の問題は、ユーザが他の当事者を呼するときに、発呼者の通常の電話番号の表示を期待している被呼者に未知の発呼者番号が与えられることである。
【課題を解決するための手段】
【００１０】
本発明の目的は、従来技術の問題を緩和することである。
【００１１】
本発明の１つの態様によれば、移動端末のユーザに対する契約の透明性(subscription transparency)を高めるための移動端末及び方法が提供される。移動端末のユーザの識別が移動端末に記憶される。移動端末における現在ＳＩＭカードの識別子が検出されるか、又は二重モード移動端末の現在使用されている論理的電話が検出される。通信サーバへ通信が送信される。この通信は、ユーザの識別子と、現在ＳＩＭカード又は論理的移動端末の識別子との間の関連性を指示する。
【００１２】
本発明は、多数のローカルＳＩＭカード又は二重モード移動端末における論理的電話を使用するときに契約の透明性を高める。例えば、現在ユーザが存在するネットワークに属するローカル移動契約の利用を、異なる電話番号を使用する必要なく、許す。又、ユーザが、ワイヤレスＬＡＮが使用できる場合にそれを使用してボイス・オーバー・ＩＰ呼を発するのを許す。ローカルＳＩＭカード又はワイヤレスＬＡＮを使用する１つの利点は、余計な料金（ローミング料金）が呼設定コストに追加されず、且つ別のネットワークをローミングするときに、ユーザのホームネットワークＳＩＭカードが使用される場合のように、呼を受信する追加コストがかからないことである。通常、国内通話を発するレートも、ローカルＳＩＭカードが使用される場合には、著しく有益である。
【００１３】
ユーザの識別子と、現在ＳＩＭカード又は論理的電話の識別子との間の関連性を通信サーバへ送信することで、ユーザの現在ＳＩＭカード及び論理的電話の通信サーバへの集中記憶を容易にする。これは、例えば、ユーザが特定のＳＩＭカードを一時的に借用(loan)する場合に有用である。ユーザのデフォルト電話番号への呼は、中央の通信サーバへ向けることができ、ユーザにより使用される移動端末における現在ＳＩＭカード又は論理的電話に関連した電話番号へ転換することができる。
【００１４】
移動端末から通信サーバへの通信は、ユーザを現在ＳＩＭカード又は論理的電話に関連付けるに充分な情報を含むだけでよい。例えば、ユーザのデフォルト電話番号、現在ＳＩＭカードに関連した電話番号、並びにユーザ及び現在ＳＩＭカードの識別に対する各関連性が、通信サーバに記憶されている場合には、ユーザの識別及び現在ＳＩＭカードの識別の関連性を送信すれば充分である。ＳＩＭカードの識別は、例えば、国際移動契約識別（ＩＭＳＩ）である。論理的電話は、電話番号、ボイス・オーバーＩＰアドレス、例えば、ＳＩＰアドレス又は他の識別子を使用して識別することができる。
【００１５】
一実施形態において、通信サーバからのルートテーブルが移動端末に受け取られる。ルートテーブルは、出呼のための好ましいルーティング（routing）を指示する。
【００１６】
呼確立は、ルートテーブルにより影響される。例えば、移動端末から被呼電話番号へ呼を確立するための要求を受け取ると、呼の確立が、通常、デフォルトルートを経て開始される。しかしながら、ルートテーブルにより指示された好ましいルーティングによるルートがデフォルトルートとは異なる場合には、デフォルトルートを通る呼の確立が中断され、ルートテーブルにより指示された好ましいルーティングに基づいて呼が確立される。二重（又は多重）モード電話が使用される場合には、ルートテーブルは、どの論理的電話を使用して呼を設定すべきか指示してもよい。ルートテーブルは、ダイヤルされる番号に適用されるべき種々の番号変換、例えば、数字の剥離又は追加を含んでもよい。又、別のルートが選択された場合に呼を認証するためにどの認証方法を使用すべきかに関する情報も含んでもよい。又、慣習的な呼設定を使用することによりルートサーバへどのように呼を確立し、呼バック呼をトリガーするためにルートサーバへ呼を発し、又、呼バック呼をトリガーするためにボイス・オーバーＩＰ及びワイヤレスＬＡＮを使用するか又はルートサーバへのデータ接続を使用するかに関する情報を含んでもよい。又、ルートテーブルは、フォールバックルートの順序付けされたリスト、及びそれらの間の好みを含んでもよく、例えば、第１に、ワイヤレスＬＡＮルートを確立しなければならない。これが可能でない場合には、ルーティングサーバを通るルートを使用しなければならない。これが可能でない場合には、デフォルトルートを使用しなければならない。
【００１７】
それとは別に、開始されるデフォルトルートを経て呼を確立せずに、即ちルートテーブルにより直接指示される好ましいルーティングに基づくルーティングにより、呼確立を実行することができる。
【００１８】
一実施形態では、ルートテーブルは、移動端末からの出呼を、通信サーバを経て確立しなければならないことを指示する。
【００１９】
通信サーバを経て移動端末からユーザ発信呼を確立することは、ユーザのデフォルト番号とは異なる電話番号に関連した現在ＳＩＭカードを使用するときに有益である。というのは、更なる契約透明性を可能にするからである。又、別の論理的電話を使用すべき場合にも有用である。このような場合には、現在ＳＩＭカードに関連した電話番号がユーザの現在電話番号となる。通信サーバを経てユーザにより発せられる呼を、次いで、適応させて、被呼者へ送られて表示される発呼者番号、即ちユーザの電話番号が、適応させない場合の現在番号ではなく、デフォルト番号であるようにすることができる。ユーザのデフォルト電話番号、ユーザの現在電話番号、及びそれらの間の関連性が通信サーバに記憶される場合には、通信サーバを経て呼が確立されるときに現在電話番号をユーザのデフォルト番号に置き換えることができる。
【００２０】
ルートサーバで呼を確立する多数の方法がサポートされる。１）別の電話番号での呼設定：この場合、ルートテーブルは、呼を接続すべき別の電話番号を指示する。２）呼設定でトリガーされる呼バック：この場合、ルートテーブルは、ルートサーバにより移動電話へ設定されるべき呼バック呼をトリガーするための呼に使用される番号を指示する。３）特定の論理的電話の使用、例えば、二重モード電話におけるボイス・オーバーＩＰ電話。４）データ接続でトリガーされる呼バック：この場合、ルートサーバへのデータ接続が、設定されるべき呼バック呼をトリガーする。
【００２１】
本発明は、エンドユーザに対して生じるリルートを隠すためのメカニズムを含む。ユーザの観点から、呼は、通常どおりに発せられ、呼は、エンドユーザのバックグランドにおいて透明にリルートされる。ルートサーバとの呼バック接続の場合に、本発明は、これも隠し、ルートサーバからの入呼に自動的に応答し、エンドユーザは、通常に発せられた呼として呼設定を認知する。
【００２２】
現在のＳＩＭカード又は論理的電話の識別子の検出は、いつでも行なえるが、例えば、電話が電源オンされたときに、現在ＳＩＭカードのアクチベーション又は論理的電話のスタートに応答して行なわれるのが好ましい。
【００２３】
本発明の一実施形態では、移動端末が２つ以上のＳＩＭカードを受け入れるように構成される。これは、例えば、ホームネットワークにおける契約に関連した第１のＳＩＭカード、及びしばしば訪問するネットワークにおける契約に関連した第２のＳＩＭカードである。移動電話は、通信に使用するために移動端末における２つ以上のＳＩＭカードの１つを選択的にアクチベートするように構成される。これは、ユーザにより手動で行うこともできるし、或いは現在ネットワークの情報に応答して自動的に行うこともできる。このような場合には、現在ＳＩＭカードは、現在アクチベートされたＳＩＭカードであり、現在アクチベートされたＳＩＭカードの変更が行なわれるたびに決定が一般的に行なわれる。アクチベートされるべきＳＩＭカードの選択は、国及び現在移動ネットワークのような電話の現在位置を考慮することにより行うことができる。二重モード電話の場合には論理的電話の選択に同じロジックが適用される。
【００２４】
本発明の別の態様によれば、通信サーバと、移動端末ユーザに対する契約の透明性を高める方法とが提供される。ユーザのデフォルト電話番号が通信サーバに記憶される。ユーザにより使用される移動端末からの通信が通信サーバにおいて受け取られて解釈される。通信は、ユーザの識別子と、移動端末における現在ＳＩＭカード又は論理的電話の識別子との間の関連性を指示する。現在ＳＩＭカード又は論理的電話に関連した電話番号が、ユーザの現在電話番号として通信サーバに記憶される。
【００２５】
一実施形態では、移動端末からの出呼を確立するための好ましいルーティングを指示するルートテーブルが、移動端末における現在ＳＩＭカード又は現在アクティブな論理的電話に基づいて通信サーバに形成される。ルートテーブルは、移動端末へ送信される。
【００２６】
ユーザの現在電話番号がデフォルト電話番号とは異なる場合には、移動端末からの出呼が通信サーバを経て確立されるのが好ましい。したがって、移動端末へ送られるルートテーブルは、通信サーバを経て送られるべき出呼の好ましいルーティングを指示する。
【００２７】
現在電話番号から被呼電話番号への呼確立要求が通信サーバに受け取られると、ユーザの現在電話番号ではなくデフォルト電話番号が、呼の確立時に、通信サーバにより被呼電話番号へ与えられるのが好ましい。
【００２８】
現在電話番号をデフォルト電話番号に置き換えると、ユーザから被呼者への呼が、被呼者により、呼が受け取られたときに既にユーザのデフォルト番号からの呼として認知されるので、移動端末ユーザに対する更なる契約透明性を与える。
【００２９】
更に、移動端末から被呼電話番号への出呼を確立するための最低コストルートを通信サーバにおいて決定することができる。例えば、ルートテーブルは、ある場合、移動端末からの出呼を、通信サーバを経、次いで、最低コストルートを経て、被呼電話番号へ確立しなければならないことを表わすルート情報を含むことができる。
【００３０】
移動端末のユーザへの入呼に対する透明性も高めることができる。より詳細には、ユーザのデフォルト電話番号に向けられた移動端末のユーザへの入呼確立要求は、最初に、通信サーバへ向けることができる。ユーザのデフォルト及び現在電話番号に関する記憶された情報を使用して、入呼は、ユーザのデフォルト電話番号ではなくユーザの現在電話番号へ確立される。
【００３１】
出呼と同様に、ユーザの現在電話番号への入呼を確立するためにも通信サーバにおいて最低コストルートを決定することができる。
【００３２】
出呼については、ユーザに関連した他のサービス、例えば、番号変換、呼ポリシー施行、又は他の呼発信サービスを、ルートサーバにより実行することができる。
【００３３】
それとは別に、又はそれを補足するものとして、ユーザの識別子と、現在ＳＩＭカード又は論理電話の識別子との間の関連性を指示する通信を移動端末から通信サーバへ送るために、管理システムを使用することができる。この管理システムにおいては、ユーザの識別子と現在ＳＩＭカードの識別子を関連付ける情報を、例えば、ユーザが現在ＳＩＭカードを借用するときにはＳＩＭカード借用センターの担当者により、又はシステム管理者により、通信サーバへ送ることができる。
【００３４】
通信サーバを経て呼が確立される場合には、例えば、ユーザのデフォルト電話番号ではない電話番号に関連したＳＩＭカードが使用されるときに、通信サーバは、確立された呼に関する統計情報を収集することができる。この統計情報は、一般的な呼の振舞い、特定ユーザの呼の振舞いの分析、課金機能、等々に使用することができる。
【００３５】
より詳細には、被呼電話番号及び呼の時間巾に関する情報を、ユーザのデフォルト電話番号ではない電話番号に関連したＳＩＭカードを使用してユーザの移動端末から確立された呼ごとに記憶することができる。この情報は、次いで、ユーザに関連付けることができる。
【発明を実施するための最良の形態】
【００３６】
以下、添付図面を参照して、本発明の実施形態を詳細に説明する。
【００３７】
本発明の実施形態は、図１に示すシステム１００において実施することができる。
【００３８】
システム１００には、第１の移動端末１１０及び第２の移動端末１１５がある。第１の移動端末１１０は、第１の移動ネットワーク１２０にアタッチされ、第２の移動端末１１５は、第２の移動ネットワーク１２５にアタッチされる。
【００３９】
第１の移動端末１１０から第２の移動端末１１５への呼は、通常、第１の移動ネットワーク１２０及び第２の移動ネットワーク１２５を通り、通常のルート１３０を経て発送される。
【００４０】
通常のルート１３０に加えて、第１の移動端末１１０から第２の移動端末１１５への呼は、別のルート１３５を経て、別のネットワーク１４０を通り、通信サーバ１５０を経て、ネットワーク間の第１ゲートウェイ１６０及び第２ゲートウェイ１６５を使用して、確立することができる。要素１５０、１６０及び１６５は、単一のノードに一緒に結合されてもよいし、別々の位置に配置されてもよい。
【００４１】
別のルートは、例えば、デフォルトルートより安価なルートでよい。例えば、別のルートは、インターネットプロトコル（ＩＰ）ネットワークを通るものでよい。このような場合に、ゲートウェイ１６０及び１６５は、各々、ＩＰネットワーク１４０と、第１の移動ネットワーク１２０及び第２の移動ネットワーク１２５との間にある。例えば、第１の移動ネットワーク１２０及び第２の移動ネットワーク１２５が２つの異なる国にある場合には、接続の国際的部分に対してＩＰネットワーク１４０を通る呼のルートが、デフォルトルート１３０より著しく安価となる。第２のネットワーク１２５がＰＯＴＳネットワークである場合にも、通常、同じことが言える。又、ゲートウェイは、ルートサーバ１５０におけるルート情報に基づいて設定されるべき呼に対して使用すべき異なるトランク間で選択を行なうのにも使用できる。
【００４２】
通信サーバ１５０は、好ましい別のルートの存在を指示するルート情報を備えている。このルート情報は、第１端末１１０へ送信されるルートテーブルを発生するのに使用される。
【００４３】
第１移動端末１１０のユーザが第２移動端末１１５のユーザへ呼を発するときには、デフォルトルート１３０を経ての呼の確立が第１移動端末１１０の呼制御ロジック（図示せず）を通して開始される。別のルーティングロジック（図示せず）は、呼確立手順が開始された情報を受け取り、通信サーバ１５０から得られたルートテーブルが好ましい別のルート１３５についてチェックされる。別のルート１３５を使用すべきかどうかの判断は、例えば、ルート１３０を経て呼を発送するコスト、及び別のルート１３５に対するコストに基づいて行うことができる。
【００４４】
別のルーティングロジックは、移動端末に記憶されたダイヤルプランを使用して、行先への好ましいルーティングを分析することができる。このプランは、デフォルトルート又は別のルートのどちらのルートを使用すべきか決定するためのマッチング基準を表わすのに使用される１組のルールを含む。
【００４５】
行先問合せへの入力は、例えば、行先アドレス（電話番号と称される）、ユーザが位置する現在ネットワーク、及びユーザが位置する国である。１組のルールは、これらの入力値で演算するのに使用されるべきマッチング条件を含む。このような演算子は、普通の式の形態でよい。問合せの出力は、呼を発送するのに使用されるべき潜在的なゲートウェイ１６０（中間ルート）、元の行先番号をこのようなゲートウェイ１６０へ転送するために使用するシグナリングの形式、及びゲートウェイ１６０と共に使用する認証の形式である。
【００４６】
ダイヤルプランは、行先への多数の別々のルートを記述し、クライアントがそれらの間で優先順位決めするのを許すための情報を含む。このような情報は、価格及びクオリティパラメータである。
【００４７】
別のルート１３５を使用すべきであると決定された場合には、クライアント１１０は、デフォルトルート１３０を経ての呼の確立を中断しなければならないことを指示する命令を呼制御ロジックへ送信し、呼は、別のルート１３５を経て確立される。
【００４８】
別のルート１３５を経て呼を設定する前に、許可手順が、ゲートウェイ１６０を通して他のネットワーク１４０へと行なわれるのが好ましい。
【００４９】
デフォルトルート１３０を経て呼確立を最初に開始し、次いで、それを中断するのとは別に、別のルーティングロジックを呼制御ロジックに一体化させて、別のルートを使用するかどうかの判断を、その確立が開始される前に、行うことができる。
【００５０】
例えば、エラーのために、別のルート１３５を経て呼を設定することができない場合には、デフォルトルート１３０が使用される。
【００５１】
端末１１０には、許可機能を設けることができる。更に、別のルートに関する全ての情報を暗号化することもできる。
【００５２】
個別に使用できる別のルーティングの原理の一例は、ローミングの場合の別のルーティングである。この場合には、多数の異なるネットワークをローミングに使用できる。ローミングに使用すべきネットワークを選択するときには、ネットワークの数に対して、例えば、移動端末に記憶できるコスト情報が、移動端末のＳＩＭカードに関する情報と一緒に使用される。コスト情報は、例えば、中央通信サーバから更新を検索することにより更新できる。
【００５３】
本発明の一実施形態では、移動端末１１０のユーザが、自分のデフォルトＳＩＭカードでないＳＩＭカードを一時的に借用することのできる管理状態が管理される。ＳＩＭカードを借用することは、例えば、多国組織／企業内で行うことができ、例えば、各国／領域内の組織／企業の構内の受付や、或いは他の適当な場所、例えば、空港、駅、又は他の中心的位置に貸与者(loaner)ＳＩＭカードを設けることにより行うことができる。貸与者のＳＩＭカードを使用する利益は、ユーザがローカル契約に関連したＳＩＭカードを使用でき、ひいては、非ローカル契約に関連したＳＩＭカードを使用するときに必要とされるローミングに関連したコスト増加を回避できることである。
【００５４】
移動端末１１０は、アクティブなＳＩＭカードの識別を検出するアプリケーションを備えている。更に、移動端末１１０には、移動端末のユーザの独特な識別も記憶される。ユーザが、借用したＳＩＭカードを移動電話１１０に挿入すると、移動電話のアプリケーションが、ＳＩＭカードのアクチベーション、及び例えば、ＩＭＳＩの形態のＳＩＭカードの識別を検出し、貸与者のＳＩＭカードの電話番号でユーザに現在到達し得ることを自動的に登録し、これは、ユーザの識別子とＳＩＭカードの識別子（ＩＭＳＩ）との間の関連性を指示する通信を通信サーバ１５０へ送ることにより行なわれる。
【００５５】
このアプリケーションは、更に、通信サーバ１５０から移動端末１１０内の受信器を経てルートテーブルにおいて受け取られるルート情報を受信し、解釈し、記憶するように構成された別のルーティングロジックも備えている。貸与者のＳＩＭカードの場合には、ルートテーブルは、通常、移動端末１１０から確立される全ての呼を、通信サーバ１５０を経て確立しなければならないことを単に指示する。
【００５６】
通信サーバ１５０は、ユーザとデフォルト電話番号との関連性、及び貸与者ＳＩＭカードと各電話番号との関連性を備えている。新たな関連性を指示する通信を移動端末１１０から受け取ると、通信サーバ１５０は、ユーザのデフォルト番号への全ての入呼を、貸与者ＳＩＭカードに関連した電話番号へ転送するようにそのリダイレクトルールを更新する。
【００５７】
ユーザのデフォルト電話番号へ呼がなされたときには、呼が通信サーバ１５０へ向けられる。ＳＩＭ変更登録のために、通信サーバ１５０は、ユーザが貸与者ＳＩＭカードに関連した電話番号に到達したことを知る。ユーザのデフォルト電話番号は、常に入呼を通信サーバ１５０へルート指定する内線番号であり、又はデフォルトＳＩＭカード契約は、応答のない呼を通信サーバ１５０へ転送する呼転向ルールを有するので、入呼は、通信サーバ１５０へルート指定される。
【００５８】
ユーザがアクティブな貸与者ＳＩＭカードで呼を発すると、別のルーティングロジックは、発せられる全ての呼が通信サーバ１５０を通るルートとされるように保証する。このサーバ１５０は、被呼者に表示される発呼者番号をユーザのデフォルト番号に書き直す。
【００５９】
ユーザが貸与者ＳＩＭカードを返却しデフォルトＳＩＭカードを移動端末１１０に挿入すると、通信サーバ１５０は、入呼をこの番号にルート指定するように更新される。
【００６０】
更に、本発明は、２つ以上のＳＩＭカードを受け入れ２つ以上のＳＩＭカードの１つを選択的にアクチベートして通信に使用するように構成された移動端末に関連して好都合に使用することができる。このような場合には、異なる契約に関連したＳＩＭカードは、コストを最小にするように手動で又は自動的にアクチベートすることができる。例えば、ユーザがしばしば訪問する国々における契約に関連したＳＩＭカードを移動端末に挿入し、ユーザが各国を訪問したときに選択的にアクチベートすることができる。この形式の移動端末の場合には、現在ＳＩＭカードは、現在アクチベートされるＳＩＭカードである。
【００６１】
移動端末における二重（又は多重）モード機能、例えば、ＧＳＭ及びＷＬＡＮの両能力を有する二重モード移動端末を、異なる契約に関連した別のＳＩＭカードに代わって又はそれと組み合せて使用することができる。このような場合には、システム１００においてデフォルトルート１３０を通るルートを選択するのに加えて、ゲートウェイ１６０への接続を、ＧＳＭネットワークを経て行ってもよいし、又はＷＬＡＮネットワークを経て行ってもよい。このような別の接続は、ルートテーブルの情報により呼設定時に動的に選択することができる。
【００６２】
又、本発明の実施形態は、図２に示すように、システム２００において実施することもできる。
【００６３】
ユーザの識別及びＳＩＭカードの識別の関連性を送信するのとは別に、又はそれを補足するものとして、図２に示すＳＩＭ在庫管理システム２００を使用することができる。このシステムは、次のようなパラメータを管理するのに使用される。
・  サービスプロバイダー情報
・  契約の位置情報
・  契約移動電話番号
・  ＳＩＭカードＩＭＳＩ番号
【００６４】
在庫管理システムは、物理的な貸与者ＳＩＭカードを管理する役割を果たす個人によりウェブプロビジョニングされる。情報は、通信サーバに記憶される。
【００６５】
ユーザが、例えば、新たな国に到着すると、多数の貸与者ＳＩＭカード受付の１つにおいて貸与者ＳＩＭカードをピックアップすることができる。受付にはコンピュータ２１０、２１５があって、各ローカルネットワーク２２０、２１５に接続され、これらネットワークは、次いで、通信サーバ１５０が存在するネットワーク１４０に接続されている。受付にいる者は、通信サーバ１５０へアクセスし、ユーザが受け取るＳＩＭカードの識別と、ユーザの識別とで通信サーバ１５０の情報を更新し、これを更新する。これにより、通信サーバ１５０は、ユーザとＳＩＭカードとの間の現在の関連性を追跡することができる。
【００６６】
ユーザの移動端末１１０への及びそこからの全ての呼は、ユーザが貸与者ＳＩＭカードを使用するときに、通信サーバ１５０を通るルートで送られるので、通信サーバ１５０には、呼統計学情報収集機能が設けられるのが好ましい。この統計学情報は、一般的な呼の振舞い、特定ユーザの呼の振舞いの分析、課金機能、等々に使用することができる。
【００６７】
同様に、ユーザが二重（又は多重）モード移動端末の論理電話をアクチベートするときには、通信サーバ１５０には、ユーザの識別と、現在使用される論理的電話の識別とが与えられる。したがって、移動端末への及びそこからの全ての呼は、通信サーバを通るルートで送られる。
【００６８】
図３には、本発明による方法の実施形態のフローチャートが示されている。ステップ３０５において、移動端末のユーザの識別子がメモリから検索される。現在ＳＩＭカードがアクチベートされると、現在ＳＩＭカードの識別子が、ステップ３１０において、移動端末で識別される。ユーザの識別子と現在ＳＩＭカードの識別子との間の関連性を指示する通信が、ステップ３１５において、通信サーバへ送られる。
【００６９】
ユーザは、通信サーバにおいてデフォルト電話番号に関連付けられる。デフォルト番号は、例えば、通信サーバに直接関連付けられてもよいし、又は以下に詳細に述べるように、ユーザのデフォルトＳＩＭカードに関連付けられてもよい。移動端末からの通信は、ステップ３２０において、通信サーバに受け取られて解釈される。現在ＳＩＭカードに関連した電話番号は、ステップ３２５において、識別されて、ユーザの現在電話番号として通信サーバに記憶される。現在ＳＩＭカードに基づいて、現在ＳＩＭカードで移動端末からの出呼を確立するための好ましいルーティングを指示するルートテーブルが、ステップ３３０において、通信端末に形成される。ユーザの現在電話番号がユーザのデフォルト電話番号と異なるときには、ルートテーブルは、例えば、移動端末からの出呼を、通信サーバを経て確立しなければならないことを指示してもよい。
【００７０】
ルートテーブルは、次いで、ステップ３３５において、通信サーバから移動端末へ送信され、通信サーバからのルートテーブルは、ステップ３４０において、移動端末に受け取られて解釈される。
【００７１】
更に、ステップ３３０、３３５及び３４０におけるルートテーブルの形成、送信、受信及び解釈は、省略されてもよい。むしろ、移動端末のアプリケーションにおいて、別のルーティングロジックを使用することができる。このような別のルーティングロジックは、例えば、移動端末の現在位置により支配することができる。
【００７２】
図４には、本発明による方法の別の実施形態のフローチャートが示されている。ステップ４０５において、移動端末のユーザの識別子がメモリから検索される。移動端末における２つ以上の論理的電話のうちの１つの論理的電話が使用のためにアクチベートされると、現在使用される論理的電話の識別子が、ステップ４１０において、使用のためにアクチベートされた論理的電話として移動端末で識別される。ユーザの識別子と、現在使用される論理的電話の識別子との間の関連性を指示する通信が、ステップ４１５において、通信サーバへ送られる。
【００７３】
ユーザは、通信サーバにおいてデフォルト電話番号に関連付けられる。デフォルト番号は、例えば、通信サーバに直接関連付けられてもよいし、又は以下に詳細に述べるように、ユーザのデフォルト論理的電話に関連付けられてもよい。移動端末からの通信は、ステップ４２０において、通信サーバに受け取られて解釈される。現在使用される論理的電話に関連した電話番号は、ステップ４２５において、識別されて、ユーザの現在電話番号として通信サーバに記憶される。現在使用される論理的電話に基づいて、現在使用される論理的電話で移動端末からの出呼を確立するための好ましいルーティングを指示するルートテーブルが、ステップ４３０において、通信端末に形成される。ユーザの現在電話番号がユーザのデフォルト電話番号と異なるときには、ルートテーブルは、例えば、移動端末からの出呼を、通信サーバを経て確立しなければならないことを指示してもよい。
【００７４】
図３及び４を各々参照して説明した方法は、別々に使用されてもよいし、又は組み合せて使用されてもよい。
【００７５】
一例において、通信のための２つ以上の異なる能力、例えば、ＧＳＭ及びＷＬＡＮを有する移動端末が使用される。呼設定時に、ユーザが番号をダイヤルするときに、その番号がルートテーブルと比較される。このとき、ルートテーブルは、例えば、最も低いコストに基づき、呼を設定する好ましい仕方を指示する。別の仕方は、次の通りである。
ａ）ＧＳＭ  ＳＩＭカードを直接使用する
ｂ）ＧＳＭ  ＳＩＭカードを使用するが、ルートサーバを通るルートにする
ｃ）装置に存在する他の論理的電話、即ちボイス・オーバーＩＰアプリケーション及びＷＬＡＮネットワークを使用する
【００７６】
ルートテーブルは、ルートサーバへの呼設定をどのように実行すべきかの情報と、方法が失敗に終わった場合のフォールバック方法とを保持し、即ちボイス・オーバーＩＰ及びＷＬＡＮネットワークが好ましいが失敗した場合に、次に好ましい代替物、例えば、ルートサーバを通るＧＳＭルートが選択される。
【００７７】
上記に加えて、現在ＳＩＭカードに関連した電話番号とユーザとの関連性を、ユーザへの入呼に使用することができる。例えば、ユーザのデフォルト電話番号は、常に入呼を通信サーバ１５０へルート指定する内線番号であり、又はデフォルトＳＩＭカード契約は、応答のない呼を通信サーバへ転送する呼転向ルールを有するので、入呼は、通信サーバへルート指定される。次いで、現在ＳＩＭカードの電話番号とユーザとの関連性を通信サーバに使用して、現在ＳＩＭカードに関連した電話番号へ呼をルート指定する。
【図面の簡単な説明】
【００７８】
【図１】本発明を実施できるシステムの概略図である。
【図２】本発明を実施できる別のシステムの概略図である。
【図３】本発明による方法の実施形態のフローチャートである。
【図４】本発明による方法の別の実施形態のフローチャートである。
【図１】
2008527796.tif 000003
【図２】
2008527796.tif 000004
【図３】
2008527796.tif 000005
【図４】
2008527796.tif 000006
【国際調査報告】
2008527796.tif 000007
2008527796.tif 000008
2008527796.tif 000009